(57)【要約】【課題】タイムシフト再生中のＦＦ再生において再生が録画に追いついた際の制御をファイルからの再生の状態のままで行うできるようにし、録画データを最後まで再生する。【解決手段】録画中のビデオをデータに変換する録画部３０２と、前記録画部によって変換されたデータを記録する記憶部３０４と、前記記憶部から前記データを読み出して再生を行う再生部３０３と、タイムシフト再生を指示する信号に応答して、前記録画部から取得した録画の録画時間長と、前記再生部による再生位置の時間情報とを比較し、時間差が一定長未満となると前記再生部に対して再生のポーズをとらせ、一定時間経過後に再生を再開するタイムシフト制御部３０１と、を有し、録画が終了している場合でも、前記再生部の再生位置の時間情報が、前記録画部から取得した録画時間長に達していなかった場合には、再生を再開させる。【選択図】    図１
2005006352.tif 000002
【特許請求の範囲】
【請求項１】
録画中のビデオをデータに変換する録画部と、
この録画部によって変換されたデータを記録する記憶部と、
この記憶部から前記データを読み出して再生を行う再生部と、
前記録画部によるデータの記録中にその録画データを再生するタイムシフト再生制御部とを有し、
前記録画部による変換記録中のデータの時間長と、前記タイムシフト再生制御部によるその変換記録中のデータのタイムシフト再生中の再生位置とから、前記時間長と前記再生位置との時間差を算出し、その時間差が所定長となった場合に、所定時間経過後にその再生位置のデータを再生させるようにしたことを特徴とするタイムシフト再生方法。
【請求項２】
録画中のビデオをデータに変換する録画部と、
この録画部によって変換されたデータを記録する記憶部と、
この記憶部から前記データを読み出して再生を行う再生部と、
前記録画部によるデータの記録中にその録画データを再生するタイムシフト再生制御部とを有し、
前記記憶部に記録されている前記データの時間長と再生位置を比較し、前記時間長と前記再生位置との時間差が所定長となった場合に、所定時間経過後にその再生位置のデータを再生させるようにしたことを特徴とするタイムシフト再生方法。
【請求項３】
録画中のビデオをデータに変換する録画部と、
この録画部によって変換されたデータを記録する記憶部と、
この記憶部から前記データを読み出して再生を行う再生部と、
前記録画部によるデータの記録中にその録画データを再生するタイムシフト再生制御部とを有し、
前記録画部から取得した録画した時間長と、前記再生部から取得した現在の再生位置との比較を行い、その時間差が所定長となった場合に、所定時間経過後にその再生位置のデータを再生させるようにしたことを特徴とするタイムシフト再生方法。
【請求項４】
録画中のビデオをデータに変換する録画手段と、
この録画手段によって変換された前記データを記録する記憶手段と、
この記憶手段から前記データを読み出して再生を行う再生手段と、
前記録画手段によるデータの記録中にその録画データを再生するタイムシフト再生制御手段とを有し、
前記タイムシフト再生制御手段は、前記録画手段による変換記録中のデータの時間長と、前記タイムシフト再生制御手段による再生中のデータの再生位置とから、前記時間長と前記再生位置との時間差を算出し、その時間差が所定長となった場合に、所定時間経過後にその再生位置のデータを再生させることを
特徴とするタイムシフト再生装置。
【請求項５】
録画中のビデオをデータに変換する録画手段と、
この録画手段によって変換された前記データを記録する記憶手段と、
この記憶手段から前記データを読み出して再生を行う再生手段と、
前記録画手段によるデータの記録中にその録画データを再生するタイムシフト再生制御手段とを有し、
前記タイムシフト再生制御手段は、前記記憶手段に記録されている前記データの時間長と再生位置を比較し、前記時間長と前記再生位置との時間差が所定長となった場合に、所定時間経過後にその再生位置のデータを再生させることを特徴とするタイムシフト再生装置。
【請求項６】
録画中のビデオをデータに変換する録画手段と、
この録画手段によって変換された前記データを記録する記憶手段と、
この記憶手段から前記データを読み出して再生を行う再生手段と、
前記録画手段によるデータの記録中にその録画データを再生するタイムシフト再生制御手段とを有し、
前記タイムシフト再生制御手段は、前記録画部から取得した録画した時間長と、前記再生部から取得した現在の再生位置との比較を行い、その時間差が所定長となった場合に、所定時間経過後にその再生位置のデータを再生させることを特徴とするタイムシフト再生装置。
【発明の詳細な説明】
【技術分野】
【０００１】
この発明は、ビデオの録画と同時に、その記録中の録画データを再生することにより、記録された本録画データの任意の位置からの再生を可能とするタイムシフト再生に係り、特に、タイムシフト再生中の順方向高速再生（ＦＦ再生）時の制御技術や、録画部と再生部が異なる同期信号をもとに駆動している場合の再生制御技術におけるタイムシフト再生方法および装置に関するものである。
【背景技術】
【０００２】
近時、タイムシフト再生機能に対する要求が高まりつつあり、そのための制御方法が種々開発されている。
【０００３】
タイムシフト再生の基本的な原理は以下のようになっている。まず、ユーザからの録画開始操作により、ビデオの録画が開始されると、録画内容が録画データとして生成され、その録画データはたとえばファイルとしてハードディスクなどの記憶装置に保存され始める。次に、そのビデオの録画中に、ユーザからその録画中のビデオの再生を指示されると、再生部は、ディスクに記録されているファイルをもとに再生を開始する。このような手段をとることにより、録画がまだ終了していないビデオの内容を、ディスクに記録された任意の位置から再生し、視聴することが可能となる。しかし、録画中のデータをもとに再生を行うため、まだ録画してディスクに記録していない部分の再生を行おうとした場合の制御が必要になる。その制御として従来、以下のような方法がとられてきた。
【０００４】
タイムシフト再生におけるＦＦ再生時、再生が記録したデータの終端に到達した場合の制御方法としては、ファイルからの再生を中止し、録画部の取得しているビデオデータを直接再生データとして出力する方法が知られている。この場合、ここで再生速度は通常速度に戻ることになるが、ファイルからの再生を中止することにより、ファイルからの再生が録画に何度も追いつくのを回避していた。
【０００５】
また、録画部と再生部で異なる同期信号を用いている場合、再生側のペースが速いと、録画に再生が追いついてしまい、再生部がデータの取得に失敗する可能性がある。そのため、従来はタイムシフト再生の開始時、記録されている録画データの時間長に近接する時間位置からの再生を禁止することにより、ある程度同期信号のペースにずれがあっても、タイムシフト再生中に再生が追いつかないだけの余裕を録画データに持たせるといったことを行っていた。
【発明の開示】
【発明が解決しようとする課題】
【０００６】
しかしながら、ＦＦ再生において再生が記録したデータの終端に到達した場合にファイルからの再生を中止し録画部のビデオデータを直接再生出力する方法では、録画部に入力したビデオデータをそのまま再生部に入力し再生出力するためにビデオのオーバーレイ機能等をハードウェアに付加する必要があった。
【０００７】
また、録画部と再生部で異なる同期信号を用いている場合、予測される同期信号のペースのずれの程度や、タイムシフト再生の最大継続時間により、かなりのマージンをあらかじめ確保しておく必要が起こることがあった。
【０００８】
本発明は上記の問題点を解決するためになされたものであり、タイムシフト再生中のＦＦ再生において再生が録画に追いついた際の制御をファイルからの再生の状態のままで行うタイムシフト再生装置を提供することを目的とする。
【０００９】
本発明は上記の問題点を解決するためになされたものであり、タイムシフト再生における録画部と再生部が異なる同期信号をもとに動作している場合に、再生が録画に追いついた場合の制御を、録画と再生位置の間のマージンを大きくとることなく行うタイムシフト再生装置を提供することを目的とする。
【課題を解決するための手段】
【００１０】
この発明は、上記の目的を達成するために、録画中のビデオをデータに変換する録画部と、この録画部によって変換されたデータを記録する記憶部と、この記憶部から前記データを読み出して再生を行う再生部と、前記録画部によるデータの記録中にその録画データを再生するタイムシフト再生制御部とを有し、前記録画部による変換記録中のデータの時間長と、前記タイムシフト再生制御部によるその変換記録中のデータのタイムシフト再生中の再生位置とから、前記時間長と前記再生位置との時間差を算出し、その時間差が所定長となった場合に、所定時間経過後にその再生位置のデータを再生させるようにしたことを特徴とする。
【発明の効果】
【００１１】
上記の手段により、再生が録画データのその時点での終端に達した場合にも、タイムシフト再生を継続し、録画データを最後までタイムシフト再生可能となる。
【発明を実施するための最良の形態】
【００１２】
以下、この発明の実施の形態を図面を参照して説明する。
【００１３】
図１は、本発明の第１の実施形態に係るタイムシフト再生装置の構成を概略的に示すブロック図である。
【００１４】
図1は、タイムシフト再生が開始されると、一定時間毎に記録された録画データの時間長を検査し、録画長と現在の再生位置の差が一定時間未満であれば再生のポーズを行い、一定時間経過後、再び再生を再開させるタイムシフト再生装置に適用されるものとする。
【００１５】
録画部１０３は、ユーザ操作部１０６からの録画開始指示と同時にビデオデータを取得して録画データの生成を行い、それを記憶装置１０５に記録する。再生部１０４は、ユーザによってユーザ操作部１０６からタイムシフト再生が指示されると、記憶装置１０５に記録されつづけている録画データを読み出して再生を開始する。なお、ユーザー操作部１０６は、例えばリモコンであったり、或いはこのタイムシフト再生装置のフロントパネルの操作スイッチ群であったりする。時間制御部１０１は、タイムシフト再生開始後、一定時間毎に時間の到来をタイムシフト再生制御部１０２に通知する。タイムシフト再生制御部１０２は、この時間制御部１０１からの通知を受けると、記憶装置１０５に記録されつづけている録画データを解析し、現在の録画長を算出する。次に、再生部１０４から現在の再生位置を取得し、録画長との差を求める。差が、あらかじめ設定された一定長以上であれば、このまま再生を続ける。差が一定未満であれば、タイムシフト再生制御部１０２は再生部１０４を制御し再生をポーズさせる。その後、一定時間経過後、再び再生部１０４を制御して再生を再開させる。
【００１６】
図４は、本発明の第１の実施形態のタイムシフト再生装置における処理を示すフローチャートである。
【００１７】
以下に図4のフローチャートを参照して説明する。
【００１８】
ユーザの録画開始指示に基づき、録画部１０３はビデオデータを取得して録画データを記録装置１０５に記録する（ステップＳ１０１）。そして、例えばリモコンなどからなるユーザ操作部１０６からタイムシフト再生が指示されると、再生部１０４は記憶装置１０５に記録された録画データを読み出して再生を開始する（ステップＳ１０２）。タイムシフト再生制御部１０２は、システムの持つ時計をもとに、録画開始（２回目以降の検査は前回検査した後）から所定の時間が経過したかを検査する（ステップＳ１０３）。まだ一定時間経過していない場合には（ステップＳ１０３のＮ）、一定時間経過するまで繰り返し、経過した場合には（ステップＳ１０３のＹ）、ステップＳ１０４へ進む。タイムシフト再生制御部１０２は、記録されている録画データを検査し、録画長を算出すると共に、再生部１０４から現在の再生位置を取得する（ステップＳ１０４、Ｓ１０５）。
【００１９】
そして、録画長と再生位置の差を求め、その差が所定の時間長以上であれば（ステップＳ１０６のＹ）、ステップＳ１０３に戻る。所定の時間長未満の場合には（ステップＳ１０６のＮ）、再生部１０４を制御し再生をポーズ状態にさせる（ステップＳ１０７）。タイムシフト再生制御部１０２は、システムの持つ時計をもとに、所定の時間の経過を待ち、時間の到来後、再生部１０４を制御し再生を再開させる（ステップＳ１０８，Ｓ１０９）。
【００２０】
以上説明したように、タイムシフト再生が開始されると、タイムシフト再生制御部は、記録された録画ファイルに含まれる時間情報をもとに、定期的に現在のファイルの時間長の監視を行う。その時間長と、現在の再生位置を比較し、録画が終了していないにもかかわらず、その差が一定未満となった場合に、再生をポーズさせる。そして、一定時間経過後に再び再生を再開させる。このような制御を行うことにより、再生が録画データのその時点での終端に達するのを防止することを特徴とする。
【００２１】
また第２の実施形態として、タイムシフト再生が開始されると一定時間毎に録画部から録画した時間長を取得し、録画長と現在の再生位置の差が一定時間未満であれば再生のポーズを行い、一定時間経過後、再び再生を再開させるタイムシフト再生装置に適用されるものとする。
【００２２】
図２は、本発明の第２の実施形態に係るタイムシフト再生装置の構成を概略的に示すブロック図である。
【００２３】
録画部２０３は、ユーザ操作部２０６からの録画開始指示と同時にビデオデータを取得して録画データの生成を行い、それを記憶装置２０５に記録する。再生部２０４は、ユーザ操作部２０６からタイムシフト再生が指示されると記憶装置２０５に記録されつづけている録画データを読み出して再生を開始する。時間制御部２０１は、タイムシフト再生開始後、一定時間毎に時間の到来をタイムシフト再生制御部２０２に通知する。タイムシフト再生制御部２０２は、時間制御部２０１からの通知を受けると、録画部２０３から現在の録画長を取得する。次に、再生部２０４から現在の再生位置を取得し、録画長との差を求める。差が、あらかじめ設定された一定長以上であれば、このまま再生を続ける。差が一定未満であれば、再生部２０４を制御し再生をポーズさせる。その後、一定時間経過後、再び再生部２０４を制御して再生を再開させる。なお、一定時間経過後、再び再開させる際、ポーズ時間のカウントは再生部２０４が持つ同期信号をもとに行っても良いし、録画部２０３から取得される録画長と現在の再生位置との差から計算しても良い。
【００２４】
このように、タイムシフト再生制御部２０２は、記憶装置２０５に記録された録画データの録画長の取得を録画部２０３から取得するようにすることで、再生が録画データのその時点での終端に達するのを防止することができる。
【００２５】
図３は、本発明の第３の実施形態に係るタイムシフト再生装置の構成を概略的に示すブロック図である。
【００２６】
図３は、タイムシフト再生の開始後、再生終了が再生部から通知された場合に、録画部から録画が継続中か否かの情報を取得し、録画が終了していた場合にはタイムシフト再生を終了し、継続中の場合には、一定時間経過後、再生が終了した時間位置から再生を再開させるタイムシフト再生装置に適用されるものとする。
【００２７】
録画部３０２は、ユーザ操作部３０５からの録画開始指示と同時にビデオデータを取得して録画データの生成を行い、それを記憶装置３０４に記録する。再生部３０３は、タイムシフト再生をユーザ操作部３０５から指示されると記憶装置３０４に記録されつづけている録画データを読み出して再生を開始する。再生部３０３は、記憶装置３０４からデータが継続して読み出せなくなり、そこまでの再生が終了した時点でタイムシフト再生制御部３０１に再生の終了通知を行う。タイムシフト再生制御部３０１は、再生部３０３からの通知を受けると、録画部３０２から現在の録画状況を取得する。そして、録画が既に終了していた場合には、そのままタイムシフト再生を終了させ、録画が継続していた場合には、一定時間の経過後、再生部３０３を制御して、再生の終了した時間位置から再生を再開させる。
【００２８】
図５は、本発明の第３の実施形態のタイムシフト再生装置における処理を示すフローチャートである。
【００２９】
以下に図５のフローチャートを参照して説明する。
【００３０】
ユーザの録画開始指示に基づき、録画部３０２はビデオデータを取得して録画データを記録装置３０４に記録する（ステップＳ２０１）。そして、例えばリモコンなどからなるユーザ操作部３０５からタイムシフト再生が指示されると、再生部３０３は記憶装置３０４に記録された録画データを読み出して再生を開始する（ステップＳ２０２）。タイムシフト再生制御部３０１は、再生部３０３からの再生終了の通知を監視し、通知がきていなければ（ステップＳ２０３のＮ）、ステップＳ２０３を繰り返す。また通知がきていれば（ステップＳ２０３のＹ）、録画部３０２から録画状態を取得し、この録画状態の情報から録画が終了しているか継続しているかを判断する（ステップＳ２０４、Ｓ２０５）。そして、終了しているという情報が得られた場合（ステップＳ２０５のＹ）、そのままタイムシフト再生を終了させる（ステップＳ２０８）。継続しているという情報が得られた場合は（ステップＳ２０５のＮ）、ある程度時間が経過するのを待ってから、時間の到来後、再生部３０３を制御して再生の終了した時間位置から再生を再開させる（ステップＳ２０６、Ｓ２０７）。その後、ステップＳ２０３へ戻る。
【００３１】
なお、録画部から取得する情報を録画中か否かのみでなく、録画が終了している場合には、録画長も取得するようにし、録画が終了している場合でも、再生終了位置が録画長に達していなかった場合には、再生を再開させるようにしても良い。
【００３２】
このような制御を行うことにより、再生が録画データのその時点での終端に達した場合にも、タイムシフト再生を継続できる。
【００３３】
以上説明したように、この発明によれば、タイムシフト再生中のＦＦ再生において再生が録画に追いついた際の制御をファイルからの再生の状態のままで行うことができる。
【００３４】
また、タイムシフト再生における録画部と再生部が異なる同期信号をもとに動作している場合に、再生が録画に追いついた場合の制御を、録画と再生位置の間のマージンを大きくとることなく行うことができる。
【図面の簡単な説明】
【００３５】
【図１】本発明の第１の実施形態に係るタイムシフト再生装置の構成を概略的に示すブロック図である。
【図２】本発明の第２の実施形態に係るタイムシフト再生装置の構成を概略的に示すブロック図である。
【図３】本発明の第３の実施形態に係るタイムシフト再生装置の構成を概略的に示すブロック図である。
【図４】本発明の第１の実施形態のタイムシフト再生装置における処理を示すフローチャートである。
【図５】本発明の第３の実施形態のタイムシフト再生装置における処理を示すフローチャートである。
【符号の説明】
【００３６】
１０１、２０１…時間制御部、１０２、２０２、３０１…タイムシフト再生制御部、１０３、２０３、３０２…録画部、１０４、２０４、３０３…再生部、１０５、２０５、３０４…記憶装置、１０６、２０６、３０５…ユーザ操作部。
【図１】
2005006352.tif 000003
【図２】
2005006352.tif 000004
【図３】
2005006352.tif 000005
【図４】
2005006352.tif 000006
【図５】
2005006352.tif 000007